(57)【要約】【課題】  ほぼ平らな有効部を有するパネルの爆縮時のガラス飛散を抑制しながら、軽量化と低コスト化とを実現する。【解決手段】  略矩形状で外面がほぼ平らな有効部３１を含むフェースプレート３０を有するガラス製のパネル３とガラス製のファンネル５とが接続されている。有効部３１の外面を少なくとも覆ってパネル３に樹脂シート１５が貼付されている。有効部３１の中央でのパネル３の厚みをＴｃ（ｍｍ）、パネル３の対角軸方向の寸法をＤ（ｍｍ）、樹脂シート１５の厚みをＴｆ（ｍｍ）としたとき、以下の式を満たす。      −０．０３２８＊Ｔｆ＋０．０１６≦Ｔｃ／Ｄ≦０．０１６【選択図】  図１
2006351430.tif 000002
【特許請求の範囲】
【請求項１】
ガラス製のファンネルと、略矩形状で外面がほぼ平らな有効部を含むフェースプレートを有するガラス製のパネルとが接続された外囲器、及び前記有効部の外面を少なくとも覆って前記パネルに貼付された樹脂シートを備える陰極線管であって、
前記有効部の中央での前記パネルの厚みをＴｃ（ｍｍ）、前記パネルの対角軸方向の寸法をＤ（ｍｍ）、前記樹脂シートの厚みをＴｆ（ｍｍ）としたとき、以下の式（１）を満たすことを特徴とする陰極線管。
−０．０３２８＊Ｔｆ＋０．０１６≦Ｔｃ／Ｄ≦０．０１６      ・・・（１）
【請求項２】
前記有効部の対角軸方向寸法が略４１ｃｍ以上である請求項１に記載の陰極線管。
【発明の詳細な説明】
【技術分野】
【０００１】
本発明は、テレビジョン受像機などに使用される陰極線管に関する。
【背景技術】
【０００２】
テレビジョン受像機等の陰極線管の軽量化を図るためには、ガラス製の外囲器を薄肉化することが有効である。ところが、外囲器内は高真空に維持されているために、これを薄肉化すると、陰極線管に外部から衝撃が与えられた場合に爆縮破壊が起こりやすくなる。爆縮時の衝撃を緩和し、ガラス飛散を低減する（以下、この特性を「防爆特性」という）ために、様々な補強対策が施されている。
【０００３】
例えば、特許文献１には、フェースプレートの有効部を含み周縁湾曲部近傍までの範囲に補強用の樹脂シートを感圧性接着剤を介して貼着する方法が提案されている。
【０００４】
しかし、ガラス製パネルの有効部の外面が平面化されると、この方法では十分な補強効果が得られない。
【０００５】
特許文献２には、パネルの側面外周に配置された補強用金属バンドを覆うように、略十字形状に切り出された樹脂シートを貼付する方法が提案されている。
【０００６】
しかしながら、この方法では、樹脂シートの貼付面積が拡大するので、樹脂シートの使用量が増大する。また、樹脂シートを略十字形状に切断して、残部を捨てることになるので、樹脂シートの材料使用率が低下する。更に、樹脂シートを切断するための打ち抜き加工又は裁断加工等が必要であり、生産性に劣る。また、貼付作業も繁雑である。
【０００７】
一方、外囲器の爆縮破壊現象を数値解析することは困難であり、さらに、爆縮時のガラス飛散を理論的に予測することは現状では極めて困難である。そのため、陰極線管の外形サイズ、すなわちフェースプレートの画面サイズやパネルの厚みごとに、樹脂シートの厚みの最適な条件は知られていなかった。
【特許文献１】特開昭５２−８７３５３号公報
【特許文献２】特許第３２２９４９３号明細書
【発明の開示】
【発明が解決しようとする課題】
【０００８】
このように、画面サイズやパネルの厚みごとに十分な防爆特性が得られる樹脂シートの厚みが未知であったことが、過度な材料使用や生産性の悪化を招き、その結果、陰極線管のコストが増大するという問題があった。
【０００９】
本発明は、上記の問題を解決し、ほぼ平らな有効部を有するパネルの爆縮時のガラス飛散を抑制しながら、軽量化と低コスト化とを可能にする陰極線管を提供することを目的とする。
【課題を解決するための手段】
【００１０】
本発明の陰極線管は、ガラス製のファンネルと、略矩形状で外面がほぼ平らな有効部を含むフェースプレートを有するガラス製のパネルとが接続された外囲器、及び前記有効部の外面を少なくとも覆って前記パネルに貼付された樹脂シートを備える。
【００１１】
前記有効部の中央での前記パネルの厚みをＴｃ（ｍｍ）、前記パネルの対角軸方向の寸法をＤ（ｍｍ）、前記樹脂シートの厚みをＴｆ（ｍｍ）としたとき、以下の式（１）を満たすことを特徴とする。
【００１２】
−０．０３２８＊Ｔｆ＋０．０１６≦Ｔｃ／Ｄ≦０．０１６      ・・・（１）
【発明の効果】
【００１３】
本発明によれば、外部から衝撃が加えられて爆縮破壊が生じた場合においても、パネルよりも前方に飛散するガラス破砕片の量が著しく抑制され、その結果、電気用品取締法、ＵＬ（Underwriters Laboratories Inc.）規格、ＣＳＡ（Canadian Standards Association）規格等の安全規格を十分に満足させることができる。
【００１４】
また、パネルの厚みを薄くすることができ、パネルの軽量化と、材料使用量の低減化による低コスト化とを実現できる。
【００１５】
更に、従来のように、樹脂シートを、パネルの側面外周に配置された補強用金属バンドまでをも覆うように貼付する必要がないので、樹脂シートの使用量を低減でき、樹脂シートの切断加工や貼付作業が容易である。これらによっても、陰極線管を低コスト化できる。
【発明を実施するための最良の形態】
【００１６】
図１は本発明に係る陰極線管１の一実施形態を示す断面図、図２はその斜視図である。
【００１７】
陰極線管１は、ガラス製のパネル３と、ガラス製のファンネル５とをフリットガラス（低膨張ガラス）４を用いて封着してなる外囲器１０を備える。パネル３のフェースプレート３０の内面には赤、緑、青の各色の蛍光体２がストライプ状又はドット状に塗布されている。
【００１８】
図３は、パネル３の斜視図である。図３では、樹脂シート１５が貼付される前の状態を示している。パネル３は、略矩形状の有効部３１を含むフェースプレート３０と、このフェースプレート３０に対して屈曲して、その周囲に設けられたスカート部３３とを備える。以下の説明の便宜のために、陰極線管の管軸をＺ軸、Ｚ軸と直交し有効部３１の長辺方向と平行な軸をＸ軸、Ｚ軸と直交し有効部３１の短辺方向と平行な軸をＹ軸とする。
【００１９】
本発明において「有効部３１」とは、パネル３の内面上の蛍光体２が形成された領域、又はこの領域に対応するパネル３の外面上の領域を意味する。有効部３１の外面はほぼ平らである。具体的には、有効部３１の外面においてＺ軸が通過する点を中央Ｐｃ、有効部３１の対角軸及びＺ軸を含む面と有効部３１の周縁とが交差する点を対角軸端Ｐｄとしたとき、対角軸方向に並ぶ２つの対角軸端Ｐｄと中央Ｐｃによって定義される円弧の曲率半径は８，０００ｍｍ以上であることが好ましい。有効部３１の外面がほぼ平らであることにより、表示画像の視認性が向上する。図１〜図３では、図面を簡略化するために、有効部３１を含むフェースプレート３０の外面は平面として図示されている。
【００２０】
図１に示すように、蛍光体２に対向してシャドウマスク７が、パネル３のスカート部３３の内壁面に取り付けられたフレーム８に保持されている。ファンネル５のネック部５ａ内には、赤、緑、青の各色に対応した３つの電子ビームを発射する電子銃６が内蔵されている。電子ビームを外部磁界から遮蔽する磁気シールド９がフレーム８に取り付けられている。電子銃６から発射された３つの電子ビームは、シャドウマスク７に形成された電子ビーム通過孔を通過して、各色の蛍光体２にそれぞれ衝突して蛍光体２を発光させる。このようにして、パネル３の有効部３１にカラー画像が表示される。
【００２１】
図２に示すように、パネル３のスカート部３３の外周面上には、外囲器１０が爆縮するのを防止するための金属バンド１２が焼き嵌めされている。また、有効部３１の外面を少なくとも覆うようにパネル３に樹脂シート１５が貼付されている。
【００２２】
樹脂シート１５の貼付領域は、フェースプレート３０の領域内のみであること、即ち、スカート部３３にまで及んでいないことが好ましい。樹脂シート１５をスカート部３３にまで貼付すると、樹脂シート１５の使用量が増大すること、樹脂シート１５を複雑な形状に切り出す必要があること、貼付作業が煩雑になること等の点で好ましくない。
【００２３】
樹脂シート１５の材料は、特に制限はなく、例えば、ＰＥＴ（ポリエチレンテレフタレート）等からなるシートを用いることができる。樹脂シート１５のパネル３に貼り合わされる側の面には粘着剤が付与されていることが好ましい。粘着剤としては、特に制限はないが、例えばアクリル系粘着剤を使用できる。樹脂シート１５は、そのパネル３とは反対側の面に反射防止層及び／又は帯電防止層等が設けられた機能性フィルムであっても良い。
【００２４】
外囲器１０の内部は真空に維持されているので、外部から激しい衝撃が加えられることにより大気圧により爆縮破壊されることがある。一般に、有効部３１の中央Ｐｃでの厚みＴｃが薄くなるほど、また、パネル３の対角軸方向の寸法Ｄが大きくなるほど、外囲器１０は爆縮破壊されやすくなる。一方、樹脂シート１５は、フェースプレート３０の機械的強度を向上させて爆縮破壊の発生を抑制するとともに、爆縮破壊した際にはパネル３のガラス片が飛散するのを抑制する。この観点からは、樹脂シート１５の厚みＴｆは厚い方が好ましい。
【００２５】
本発明者らは、有効部３１の中央Ｐｃでのパネル３の厚みＴｃ（ｍｍ）及びパネル３の対角軸方向の寸法Ｄ（ｍｍ）と樹脂シート１５の厚みＴｆ（ｍｍ）とを種々に変えた陰極線管を作成し、防爆特性の観点からこれらの間の好ましい条件を実験により求めた。以下にこれを説明する。
【００２６】
樹脂シート１５として、ＰＥＴ（ポリエチレンテレフタレート）からなり、押し出し成形によりシート状に加工されたものを用いた。この樹脂シート１５は、引っ張り強度が２１６Ｎ／ｍｍ2（２２ｋｇｆ／ｍｍ2）、伸び率が１２０％の一般的なものである。樹脂シート１５の片面にアクリル系樹脂の強粘着材を塗布して、図２に示すように有効部３１を覆うようにしてフェースプレート３０の外面上に加圧密着させた。このとき、樹脂シート１５は、スカート部３３にまでは及んでいない。ＪＩＳ−Ｚ０２３７に準拠して測定した樹脂シート１５の粘着力は、５．４Ｎ／１０ｍｍ（５５０ｇｆ／１０ｍｍ）であった。
【００２７】
本発明において、パネル３の対角軸方向の寸法Ｄ（ｍｍ）とは、ＥＩＡＪ規格（ＥＤ−２１３０）に示されたサイズ呼称を単位「ｍｍ」で表記したものである。
【００２８】
有効部３１の中央Ｐｃでの厚みＴｃ（ｍｍ）と樹脂シート１５の厚みＴｆ（ｍｍ）とを種々に変更した、２１インチ（Ｄ＝５１０ｍｍ）、２５インチ（Ｄ＝５９０ｍｍ）、２９インチ（Ｄ＝６８０ｍｍ）、３２インチ（Ｄ＝７６０ｍｍ）、３６インチ（Ｄ＝８６０ｍｍ）のサイズが異なる５種の陰極線管を作成し、ＵＬ規格に基づく防爆テストを実施し、規格を満たすパネル３の厚みＴｃ（ｍｍ）の最小値を実験的に求めた。結果を図４に示す。縦軸は対角軸方向寸法Ｄで規格化されたパネル３の厚みＴｃ（即ち、比Ｔｃ／Ｄ）であり、横軸は樹脂シート１５の厚みＴｆ（ｍｍ）である。Ｔｆ＝０ｍｍは、樹脂シート１５を貼付しなかったことを意味する。「●」は、上記防爆テストの結果が「良」であったことを示し、「×」は「不良」であったことを示す。
【００２９】
図４において、実線Ａは、防爆特性から見た、樹脂シート１５の厚みＴｆに対するパネル３の厚みＴｃ（ｍｍ）の最小条件である。実線Ａよりも下側の領域、即ち、パネル３の厚みＴｃ（比Ｔｃ／Ｄ）が小さすぎると、所望の防爆特性が得られないことを意味する。実線Ａは
Ｔｃ／Ｄ＝−０．０３２８＊Ｔｆ＋０．０１６      ・・・（Ａ）
で表される。
【００３０】
Ｔｆ＝０ｍｍ、即ち、樹脂シート１５を貼付しない場合には、Ｔｃ／Ｄ＞０．００１６であれば、所望の防爆特性が得られている。従って、Ｔｃ／Ｄ＝０．０１６で表される破線Ｂよりも上側の領域では、樹脂シート１５を貼付しなくても所望の防爆特性を得ることができる。即ち、Ｔｃ／Ｄ＞０．００１６である場合には、樹脂シート１５を貼付することは、防爆特性の観点からは無駄である。また、樹脂シート１５を貼付する場合に、Ｔｃ／Ｄ＞０．００１６であることは、パネル３の厚みＴｃが無駄に厚いことを意味する。パネル３を軽量化してガラスの使用量を少なくするためには、Ｔｃ／Ｄ≦０．０１６であることが好ましい。
【００３１】
以上より、防爆特性とパネル３の軽量化及び低コスト化との観点からは、実線Ａと破線Ｂとの間の斜線を施した領域が好ましい。即ち、
−０．０３２８＊Ｔｆ＋０．０１６≦Ｔｃ／Ｄ≦０．０１６      ・・・（１）
を満足することが必要である。
【００３２】
たとえば、２１インチ（Ｄ＝５１０ｍｍ）のパネルの場合には、樹脂シート１５の厚みＴｆを、加圧して貼付する際の作業性の観点からの最小厚みと考えられる０．０５ｍｍとすれば、パネル３の厚みＴｃを従来より約３０％薄い８．０ｍｍとしても所望の防爆特性が得られる。この結果、パネル３を従来に比べて約２ｋｇ軽量化することができる。これは、陰極線管としては約１３％の軽量化である。これにより、パネル３及び陰極線管の運搬、移載の作業性が向上する。また、ガラス材料の使用量の低減による低コスト化が可能になる。
【００３３】
パネル３の有効部３１の対角軸方向寸法は略４１ｃｍ以上、更には５１ｃｍ以上であることが好ましい。このような、パネルが重く、コスト高となりやすい中型以上の陰極線管に本発明を適用すれば、本発明の効果が顕著に発現される。
【産業上の利用可能性】
【００３４】
本発明の利用分野は特に制限はなく、各種用途の陰極線管に使用することができる。特に、外面がほぼ平らな有効部を有し、有効部の対角軸方向寸法が略４１ｃｍ以上の中型〜大型の陰極線管に特に好ましく利用できる。
【図面の簡単な説明】
【００３５】
【図１】本発明の一実施形態に係る陰極線管の側面断面図
【図２】本発明の一実施形態に係る陰極線管の斜視図
【図３】本発明の一実施形態に係る陰極線管用のパネルの前面側から見た斜視図である。
【図４】パネルの対角軸方向寸法Ｄ、有効部中央厚みＴｃ、樹脂シート厚みＴｆを変えたときの防爆テスト結果を示した図
【符号の説明】
【００３６】
１  陰極線管
２  蛍光体
３  パネル
４  フリットガラス
５  ファンネル
５ａ  ネック部
６  電子銃
７  シャドウマスク
８  フレーム
９  磁気シールド
１０  外囲器
１２  金属バンド
１５  樹脂シート
３０  フェースプレート
３１  有効部
３３  スカート部
【図１】
2006351430.tif 000003
【図２】
2006351430.tif 000004
【図３】
2006351430.tif 000005
【図４】
2006351430.tif 000006